【手続補正書】
【提出日】平成29年7月20日(2017.7.20)
【手続補正１】
【補正対象書類名】特許請求の範囲
【補正対象項目名】全文
【補正方法】変更
【補正の内容】
【特許請求の範囲】
【請求項１】
開口部を形成する装置本体と、
シートに画像を形成する画像形成部と、
前記画像形成部によって画像が形成されたシートを搬送する搬送手段と、
前記搬送手段によって搬送されたシートを前記装置本体の内部に収容する収容部と、
前記収容部に収容されたシートが前記開口部から前記装置本体の外部に露出するまで前記シートを移動させるシート移動手段と、
前記収容部の収容状態に関する第１の情報を記憶する記憶部と、
前記搬送手段と前記シート移動手段を制御する制御部と、を有する画像形成装置において、
シートに対する画像の形成が指示された場合、前記制御部は前記記憶部に記憶された前記第１の情報と前記指示によって前記画像形成部が画像を形成するシートに関する第２の情報に基づいて、前記指示によって前記画像形成部が画像を形成するシートを前記収容部に収容させ、前記開口部から外部に露出させる複数の排出方法を通知し、通知された複数の前記排出方法の中から選択された前記排出方法に基づいて、前記搬送手段と前記シート移動手段を制御することを特徴とする画像形成装置。
【請求項２】
前記制御部は、前記画像形成装置と通信手段によって接続されている外部装置に対して、前記第１の情報と前記第２の情報に基づいた複数の前記排出方法を通知して、前記外部装置において選択された前記排出方法に基づいて、前記搬送手段と前記シート移動手段を制御することを特徴とする請求項１に記載の画像形成装置。
【請求項３】
前記画像形成装置に関する情報を表示する情報表示手段を有し、
前記制御部は、前記第１の情報と前記第２の情報に基づいた複数の前記排出方法を前記情報表示手段に表示させ、前記情報表示手段において選択された前記排出方法に基づいて、前記搬送手段と前記シート移動手段を制御することを特徴とする請求項１又は２に記載の画像形成装置。
【請求項４】
所定の枚数のシートに対する画像の形成が指示され、前記所定の枚数が前記指示を受けた時に前記収容部に収容できるシートの上限枚数よりも多い場合に、前記制御部は前記第１の情報と前記第２の情報に基づいた複数の前記排出方法を通知して、通知された複数の前記排出方法の中から選択された前記排出方法に基づいて、前記搬送手段と前記シート移動手段を制御し、
前記所定の枚数が前記上限枚数以下である場合に、前記制御部は前記排出方法をユーザーに通知せず、前記制御部は前記収容部に前記所定の枚数のシートを搬送するように前記搬送手段を制御することを特徴とする請求項１乃至３のいずれか１項に記載の画像形成装置。
【請求項５】
シートに対する画像の形成が指示され、前記搬送手段によって前記指示によって前記画像形成部が画像を形成するシートを予め定められた収容方法によって前記収容部に搬送することができない場合に、前記制御部は前記第１の情報と前記第２の情報に基づいた複数の前記排出方法を通知して、通知された複数の前記排出方法の中から選択された前記排出方法に基づいて、前記搬送手段と前記シート移動手段を制御し、
前記搬送手段によって前記指示によって前記画像形成部が画像を形成するシートを前記予め定められた収容方法によって前記収容部に搬送することができる場合に、前記制御部は前記排出方法を通知せず、前記予め定められた収容方法によって前記収容部に前記指示によって前記画像形成部が画像を形成するシートを搬送するように前記搬送手段を制御することを特徴とする請求項１乃至３のいずれか１項に記載の画像形成装置。
【請求項６】
前記シート移動手段は、前記収容部に収容されたシートの先端が前記開口部を通過して、前記シートが前記開口部から外部に露出するまで前記シートを移動させ、前記シートの一部が前記装置本体の内部にあり、前記シートが前記開口部から外部に露出した露出状態で前記シートを停止させることを特徴とする請求項１乃至３のいずれか１項に記載の画像形成装置。
【請求項７】
前記シート移動手段によって移動され、前記露出状態にあるシートの有無を検知する検知手段を有し、
複数の部数のシートに対する画像の形成が指示された場合において、通知される複数の前記排出方法は、前記搬送手段によって前記複数の部数のうち第１部のシートを前記収容部に搬送した後、排出指示に応じて前記シート移動手段が前記第１部のシートを移動させ、前記第１部のシートを前記露出状態で停止させ、前記検知手段によって前記第１部のシートが取り出されたことを検知した後、前記搬送手段によって前記第１部のシートとは異なる第２部のシートを前記収容部に搬送し、前記シート移動手段が前記第２部のシートを移動させ、前記第２部のシートを前記露出状態で停止させる第１の排出方法と、
前記搬送手段によって前記第１部のシートと前記第２部のシートを前記収容部に搬送し、排出指示に応じて前記シート移動手段が前記第１部のシートと前記第２部のシートを移動させ、前記第１部のシートと前記第２部のシートを前記露出状態で停止させる第２の排出方法を含むことを特徴とする請求項６に記載の画像形成装置。
【請求項８】
第１の収容部と前記第１の収容部とは異なる第２の収容部を有し、
複数の部数のシートに対する画像の形成が指示された場合において、通知される複数の前記排出方法は、前記搬送手段によって前記複数の部数のうち第１部のシートを前記第１の収容部に搬送し、前記第１部のシートとは異なる第２部のシートを前記第２の収容部に搬送し、排出指示に応じて前記シート移動手段が前記第１部のシートと前記第２部のシートを移動させ、前記第１部のシートと前記第２部のシートを前記露出状態で停止させる第１の排出方法と、
前記搬送手段によって前記第１部のシートと前記第２部のシートを前記第１の収容部に搬送し、排出指示に応じて前記シート移動手段が前記第１部のシートと前記第２部のシートを移動させ、前記第１部のシートと前記第２部のシートを前記露出状態で停止させる第２の排出方法を含むことを特徴とする請求項６に記載の画像形成装置。
【請求項９】
第１のユーザーによって選択された前記排出方法によって、前記収容部に収容されている第２のユーザーのシートの排出方法に変更が生じる場合、前記制御部は前記第２のユーザーに変更された前記排出方法を通知することを特徴とする請求項１乃至３のいずれか１項に記載の画像形成装置。
【請求項１０】
前記第１の情報とは、前記収容部にシートが収容されているか否かを示す情報、前記収容部に収容されているシートの枚数の情報、前記収容部に収容されているシートの画像形成を指示したユーザーに関する情報を含むことを特徴とする請求項１乃至９のいずれか１項に記載の画像形成装置。
【請求項１１】
前記第２の情報とは、前記指示によって前記画像形成部が画像を形成するシートの枚数の情報、前記画像の形成を指示したユーザーに関する情報、前記指示によって前記画像形成部が画像を形成するシートに対応するジョブ番号の情報、前記指示によって前記画像形成部が画像を形成するシートに含まれる部数に関する情報を含むことを特徴とする請求項１乃至１０のいずれか１項に記載の画像形成装置。
【請求項１２】
シートに画像を形成する画像形成装置に対して装着可能なシート収容装置において、
開口部を形成する装置本体と、
前記画像が形成されたシートを搬送する搬送手段と、
前記搬送手段によって搬送されたシートを前記装置本体の内部に収容する収容部と、
前記収容部に収容されたシートが前記開口部から前記装置本体の外部に露出するまで前記シートを移動させるシート移動手段と、
前記収容部の収容状態に関する第１の情報を記憶する記憶部と、
前記搬送手段と前記シート移動手段を制御する制御部と、
シートに対する画像の形成が指示された場合、前記制御部は前記記憶部に記憶された前記第１の情報と前記指示によって画像が形成されるシートに関する第２の情報に基づいて、前記指示によって画像が形成されるシートを前記収容部に収容させ、前記開口部から外部に露出させる複数の排出方法を通知し、通知された複数の前記排出方法の中から選択された前記排出方法に基づいて、前記搬送手段と前記シート移動手段を制御するシート収容装置。
【手続補正２】
【補正対象書類名】明細書
【補正対象項目名】００１０
【補正方法】変更
【補正の内容】
【００１０】
上記の目的を達成するための本発明の画像形成装置は、開口部を形成する装置本体と、シートに画像を形成する画像形成部と、前記画像形成部によって画像が形成されたシートを搬送する搬送手段と、前記搬送手段によって搬送されたシートを前記装置本体の内部に収容する収容部と、前記収容部に収容されたシートが前記開口部から前記装置本体の外部に露出するまで前記シートを移動させるシート移動手段と、前記収容部の収容状態に関する第１の情報を記憶する記憶部と、前記搬送手段と前記シート移動手段を制御する制御部と、を有する画像形成装置において、シートに対する画像の形成が指示された場合、前記制御部は前記記憶部に記憶された前記第１の情報と前記指示によって前記画像形成部が画像を形成するシートに関する第２の情報に基づいて、前記指示によって前記画像形成部が画像を形成するシートを前記収容部に収容させ、前記開口部から外部に露出させる複数の排出方法を通知し、通知された複数の前記排出方法の中から選択された前記排出方法に基づいて、前記搬送手段と前記シート移動手段を制御することを特徴とする。